(57)【要約】      （修正有）【課題】急な病気や事故、災害等により本人の意思が確認できない緊急時において、個人情報保護に配慮しながらも、氏名や緊急連絡先、血液型、既往症等の個人情報を的確に他の人に伝えることができ、情報変更時にも差し換えが簡単にでき、且つ経済的な個人情報伝達用二次元コードバンドを提供する。【解決手段】個人情報伝達用二次元コードバンドは、バンド本体の表面に個人情報伝達のための二次元コードがあることをマークで表示し、バンド裏面に氏名、緊急連絡先、血液型、既往症等の個人情報を記録した二次元コードを設ける。【選択図】図１
0003170331.tif 000002
【実用新案登録請求の範囲】
【請求項１】
バンド本体の表面に個人情報伝達のためのＱＲコードがあることを示すマークを付け、バンド裏面に氏名、緊急連絡先、血液型、既往症等の個人情報を記録したＱＲコードを取り付けて、身につけられるようにした手首、又は足首に装着できるバンド。
【請求項２】
前記バンド裏面のＱＲコード取付用窓穴は、ＱＲコードをバンド裏面にセットした時に、ＱＲコード全体が欠けることなく外側から見え、且つＱＲコード本体が外部に飛び出さない大きさで、ＱＲコード取付用窓穴の上部に切れ目を入れてＱＲコード挿入口を設け、そこからＱＲコードを着脱する構造。
【請求項３】
前記ＱＲコードを、雨、水、汚れ、劣化等から守るため、透明のフィルムでラミネート加工してカード化する。
【考案の詳細な説明】
【技術分野】
【０００１】
本考案は、急な病気や事故、災害等により本人の意思が確認できない緊急時において、ＯＲコードを用いて、氏名や緊急連絡先等の個人情報を的確に、他の人に伝えることを目的とする個人情報提供に関する。
【背景技術】
【０００２】
昔のような近所づきあいが希薄となりつつある現代において、互いに知らない者同士が共存するようになり、孤独死や、最近では震災で亡なられた人の身元が分からない等が報道されている。個人の情報保護は、その情報を悪用する者から身を守る上で重要なことであるが、一方では急な病気や事故、災害等により本人の意思が確認できない緊急時において、氏名、緊急連絡先、血液型、既往症等の個人情報を的確に伝達することが重要となる。したがって、そのような緊急時において、それに対応するためのツールが必要となる。
先行技術としては、ＱＲコードを用いた個人情報発信については、「下着及び衣類に情報をプリントする」（特許文献１を参照）がある。
【先行技術文献】
【特許文献】
【０００３】
【特許文献１】特開2006-249638号公報
【考案の概要】
【考案が解決しようとする課題】
【０００４】
しかし、特許文献１で示される「下着及び衣類に情報をプリントする」では、衣類にプリントした場合はＯＲコードが目立ち過ぎ、下着にプリントした場合ではＱＲコードが見つけにくい等の問題がある。又、衣類すべてにプリントすることは、経済的、手間的にも大変であり、且つ緊急連絡先等に変更が生じた場合、プリントされたＱＲコードを、すべて取り換えなければならない問題が生じる。
【０００５】
したがって本考案の目的は、急な病気や事故、災害等により本人の意思が確認できない緊急時において、個人情報保護に配慮しながらも、ＱＲコードを用いて、氏名や緊急連絡先、血液型、既往症等の個人情報を的確に他の人に伝えることができ、情報変更時にもＱＲコードの差し換えが簡単にでき、且つ経済的な個人情報伝達用ＱＲコードバンドを提供することである。
【課題を解決するための手段】
【０００６】
上記、目標を達成するために、本考案の個人情報伝達用ＱＲコードバンドは、バンド本体の表面に個人情報伝達のためのＱＲコードがあることを示すマークを付け、バンド裏面に氏名、緊急連絡先、血液型、既往症等の個人情報を記録したＱＲコードを取り付けて、身につけられるようにした手首、又は足首に装着できるバンドである。
【０００７】
ＱＲコードは現在、一般的によく知られているためＱＲコードをバンド裏面に取り付けることで個人情報保護面に配慮した。しかし、ＱＲコードの存在を他の人に知らせる必要があるため、バンド表面にＱＲコードの存在を示すマークを取り付けるものである。バンドとした理由は、主にスポーツ、健康用具、アクセサリーとして広範囲に使用されており身に着けて携帯しやすいこと、及び下着にプリントする場合と異なり、緊急連絡先等に変更が生じた場合も、ＱＲコードを一つ取り換えるだけで済む利点があるためである。
【０００８】
バンド裏面のＱＲコード取付用窓穴は、ＱＲコードをバンド裏面にセットした時に、ＱＲコード全体が欠けることなく外側から見え、且つＱＲコード本体が外部に飛び出さない大きさで、ＱＲコード取付用窓穴の上部に切れ目を入れてＱＲコード挿入口を設け、そこからＱＲコードを着脱する構造である。
【０００９】
氏名、緊急連絡先、血液型、既往症等の個人情報を、ＱＲコードに変換するには、インターネット上のＱＲコード変換サイト、又はＱＲコード変換ソフトを利用して作成する。又、緊急連絡先や既往症等の内容に変更があった場合も同様である。
【００１０】
ＱＲコードを、雨、水、汚れ、劣化等から守るため、透明のフィルムでラミネート加工してカード化する。
【００１１】
リストバンドとして利用する場合、水や雨に曝されることが多く、プリンターで印刷したＱＲコードの画像が滲んだり、汚れたりして読み取れなくなる可能性が高い。これを解決するために、前記ラミネート加工することで、ＱＲコードを保護すると共に、バンド本体への着脱をしやすく効果がある。尚、透明のフィルムでラミネートするのは、携帯電話のカメラでの読み取りをしやすくするためである。
【００１２】
前記カード化したＱＲコードを、バンド裏面のＱＲコード挿入口に挿し込みセットする。前記セットしたＱＲコードは、手首等に装着したバンド表面の個人情報伝達用ＱＲコードがあることを示すマーク部分を裏返してＱＲコードを表示し、携帯電話に装備されているカメラ、及びバーコードリーダを利用して読み取るものである。
【００１３】
前記ＱＲコードを読み取ることにより携帯電話の画面に表示される電話番号へ、ダイレクトに電話をかけることができると共に、かけ間違いを防ぐ効果もある。
【考案の効果】
【００１４】
以上のように、本考案によれば、急な病気や事故、災害等により本人の意思が確認できない緊急時において、個人の情報保護に配慮しながらも、氏名、緊急連絡先、血液型、既往症等の個人情報を的確に他の人に伝えることができ、情報変更時にもＱＲコードの差し換えが簡単にでき、且つ経済的な個人情報伝達用ＱＲコードバンドを提供することができる。
【図面の簡単な説明】
【００１５】
【図１】バンド本体の一実施形態を示す斜視図。
【図２】図１で示すバンド裏面の部分拡大図。
【図３】ラミネートしたＱＲコードを図示。
【図４】図２で示すＱＲコード取付用窓穴へ、図３で示すＱＲコードを装着する方法を図示。
【図５】図２で示すＱＲコード取付用窓穴へ、図３で示すＱＲコードを装着した状態の断面図。
【図６】手首に装着した状態でバンドを裏返してＱＲコードを表示させた状態を図示。
【図７】図１で示すバンド本体を手首に装着した一実施形態を図示。
【考案を実施するための形態】
【００１６】
以下、本考案の実施の形態を図に基づいて説明する。図１では、バンド表面1に個人情報伝達用ＱＲコードがあることを示すマーク2を図示している。図２では、バンド裏面3にＱＲコードを取り付けるための、ＱＲコード取付用窓穴4、及び図３で示す透明フィルムでラミネートしたＱＲコードを装着するための、ＱＲコード挿入口5を図示している。前記ＱＲコード取付用窓穴4は、図３のＱＲコードをＱＲコード取付用窓穴4にセットした時に、ＱＲコード全体が欠けることなく外側から見え、且つＱＲコード本体が外部に飛び出さない大きさである。又、ＱＲコード取付用窓穴4の上部に切れ目を入れて、ＱＲコード挿入口5を設け、そこからＱＲコードを着脱する構造である。図３では、ＱＲコード6を、透明フィルムでラミネート加工し、カード化したラミネートカード7を図示した。図４では、ＱＲコード取付用窓穴4に、図３で示すラミネートしたＱＲコードをＱＲコード挿入口5へ装着する方法を図示している。図５では、ＱＲコード取付用窓穴4に、前記ＱＲコードを装着した状態の断面図を図示した。図６では、図1で示すバンド表面の個人情報伝達用ＱＲコードがあることを示すマーク2部分を裏返して、ＱＲコード部分を表示した状態を図示している。前記表示させたＱＲコードを、携帯電話のカメラ、及びバーコードリーダを使って読み取り、緊急時の情報を取得するものである。尚、バンドの素材は、耐熱性、耐寒性、電気特性、撥水性等、様々な機能を持ち、加工、成形もしやすいシリコンゴム・ラバーを使用する。
【実施例】
【００１７】
図７に、図１で示すバンド本体を、手首に装着した実施例を図示している。ブレスレットとして装着することができる。この他の実施例として、足首にも装着することができる。
【符号の説明】
【００１８】
1  バンド表面
2  個人情報伝達用ＱＲコードがあることを示すマーク
3  バンド裏面
4  ＱＲコード取付用窓穴
5  ＱＲコード挿入口
6  ＱＲコード
7  ラミネートカード
8  手首
【図１】
0003170331.tif 000003
【図２】
0003170331.tif 000004
【図３】
0003170331.tif 000005
【図４】
0003170331.tif 000006
【図５】
0003170331.tif 000007
【図６】
0003170331.tif 000008
【図７】
0003170331.tif 000009
【手続補正書】
【提出日】平成23年7月7日(2011.7.7)
【手続補正１】
【補正対象書類名】実用新案登録請求の範囲
【補正対象項目名】全文
【補正方法】変更
【補正の内容】
【実用新案登録請求の範囲】
【請求項１】
バンド本体の表面に個人情報伝達のための二次元コードがあることを示すマークを付け、バンド裏面に氏名、緊急連絡先、血液型、既往症等の個人情報を記録した二次元コードを設けたことを特徴とする個人情報伝達用二次元コードバンド。
【請求項２】
前記バンド裏面の二次元コード本体取付用窓穴は、二次元コードをプリントした二次元コード本体をバンド裏面にセットした時に、二次元コード全体が欠けることなく外側から見え、且つ二次元コード本体が外部に飛び出さない大きさで、二次元コード本体取付用窓穴の上部に切れ目を入れて二次元コード本体挿入口を設け、そこから二次元コード本体を着脱できる構造を特徴とする請求項１に記載の個人情報伝達用二次元コードバンド。
【請求項３】
前記二次元コードは、透明のフィルムでラミネートされていることを特徴とする請求項１、又は請求項２に記載の個人情報伝達用二次元コードバンド。
【手続補正２】
【補正対象書類名】明細書
【補正対象項目名】全文
【補正方法】変更
【補正の内容】
【考案の詳細な説明】
【技術分野】
【０００１】本考案は、急な病気や事故、災害等により本人の意思が確認できない緊急時において、二次元コードを用いて、氏名や緊急連絡先等の個人情報を的確に、他の人に伝えることを目的とする個人情報提供に関する。
【背景技術】
【０００２】昔のような近所づきあいが希薄となりつつある現代において、互いに知らない者同士が共存するようになり、孤独死や、最近では震災で亡なられた人の身元が分からない等が報道されている。個人の情報保護は、その情報を悪用する者から身を守る上で重要なことであるが、一方では急な病気や事故、災害等により本人の意思が確認できない緊急時において、氏名、緊急連絡先、血液型、既往症等の個人情報を的確に伝達することが重要となる。したがって、そのような緊急時において、それに対応するためのツールが必要となる。先行技術としては、二次元コードを用いた個人情報発信については、「下着及び衣類に情報をプリントする」（特許文献１を参照）がある。
【先行技術文献】
【特許文献】
【０００３】
【特許文献１】特開2006-249638号公報
【考案の概要】
【考案が解決しようとする課題】
【０００４】しかし、特許文献１で示される「下着及び衣類に情報をプリントする」では、衣類にプリントした場合は二次元コードが目立ち過ぎ、下着にプリントした場合では二次元コードが見つけにくい等の問題がある。又、衣類すべてにプリントすることは、経済的、手間的にも大変であり、且つ緊急連絡先等に変更が生じた場合、プリントされた二次元コードを、すべて取り換えなければならない問題が生じる。【０００５】したがって本考案の目的は、急な病気や事故、災害等により本人の意思が確認できない緊急時において、個人情報保護に配慮しながらも、二次元コードを用いて、氏名や緊急連絡先、血液型、既往症等の個人情報を的確に他の人に伝えることができ、情報変更時にも二次元コードの差し換えが簡単にでき、且つ経済的な個人情報伝達用二次元コードバンドを提供することである。
【課題を解決するための手段】
【０００６】上記、目標を達成するために、本考案の個人情報伝達用二次元コードバンドは、バンド本体の表面に個人情報伝達のための二次元コードがあることを示すマークを付け、バンド裏面に氏名、緊急連絡先、血液型、既往症等の個人情報を記録した二次元コードを取り付けて、身につけられるようにした手首、又は足首に装着できるバンドである。【０００７】二次元コードは現在、一般的によく知られているため二次元コードをバンド裏面に取り付けることで個人情報保護面に配慮した。しかし、一方では緊急時において、二次元コードの存在を他の人に知らせる必要があるため、バンド表面に二次元コードの存在を示すマークを取り付けるものである。バンドとした理由は、主にスポーツ、健康用具、アクセサリーとして広範囲に使用されており身に着けて携帯しやすいこと、及び下着にプリントする場合と異なり、緊急連絡先等に変更が生じた場合も、二次元コードを一枚、取り換えるだけで済む利点があるためである。【０００８】バンド裏面の二次元コード本体取付用窓穴は、二次元コードをプリントした二次元コード本体をバンド裏面にセットした時に、二次元コード全体が欠けることなく外側から見え、且つ二次元コード本体が外部に飛び出さない大きさで、二次元コード本体取付用窓穴の上部に切れ目を入れて二次元コード本体挿入口を設け、そこから二次元コード本体を着脱できる構造である。【０００９】氏名、緊急連絡先、血液型、既往症等の個人情報を、二次元コードに変換するには、インターネット上の二次元コード変換サイト、又は二次元コード変換ソフトを利用して作成する。又、緊急連絡先や既往症等の内容に変更があった場合も同様である。【００１０】二次元コードを、雨、水、汚れ、劣化等から守るため、透明のフィルムでラミネート加工してカード化する。【００１１】リストバンドとして利用する場合、水や雨に曝されることが多く、プリンターで印刷した二次元コードの画像が滲んだり、汚れたりして読み取れなくなる可能性が高い。これを解決するために、前記ラミネート加工することで、二次元コードを保護すると共に、バンド本体への着脱をしやすく効果がある。尚、透明のフィルムでラミネートするのは、携帯電話のカメラでの読み取りをしやすくするためである。【００１２】前記カード化した二次元コード本体を、バンド裏面の二次元コード本体挿入口に挿し込みセットする。前記セットした二次元コードは、手首等に装着したバンド表面の個人情報伝達用二次元コードがあることを示すマーク部分を裏返して二次元コードを表示し、携帯電話に装備されているカメラ、及びバーコードリーダを利用して読み取るものである。【００１３】前記二次元コードを読み取ることにより携帯電話の画面に表示される電話番号へ、ダイレクトに電話をかけることができると共に、かけ間違いを防ぐ効果もある。
【考案の効果】
【００１４】以上のように、本考案によれば、急な病気や事故、災害等により本人の意思が確認できない緊急時において、個人の情報保護に配慮しながらも、氏名、緊急連絡先、血液型、既往症等の個人情報を的確に他の人に伝えることができ、情報変更時にも二次元コードの差し換えが簡単にでき、且つ経済的な個人情報伝達用二次元コードバンドを提供することができる。
【図面の簡単な説明】
【００１５】
【図１】バンド本体の一実施形態を示す斜視図。
【図２】図１で示すバンド裏面の部分拡大図。
【図３】二次元コードを透明のフィルムでラミネートした二次元コード本体を図示。
【図４】図２で示す二次元コード本体取付用窓穴へ、図３で示す二次元コード本体を装着する方法を図示。
【図５】図２で示す二次元コード本体取付用窓穴へ、図３で示す二次元コード本体を装着した状態の断面図。
【図６】手首に装着した状態でバンドを裏返して二次元コードを表示させた状態を図示。
【図７】図１で示すバンド本体を手首に装着した一実施形態を図示。
【考案を実施するための形態】
【００１６】以下、本考案の実施の形態を図に基づいて説明する。図１では、バンド表面1に個人情報伝達用二次元コードがあることを示すマーク2を図示している。図２では、バンド裏面3に、図３で示す二次元コードを透明のフィルムでラミネートした二次元コード本体を取り付けるための二次元コード本体取付用窓穴4、及び二次元コード本体挿入口5を図示している。前記二次元コード本体取付用窓穴4に、図３で示す二次元コード本体をセットした時に、二次元コード全体が欠けることなく外側から見え、且つ図３で示す二次元コード本体が外部に飛び出さない大きさである。又、二次元コード本体取付用窓穴4の上部に切れ目を入れて二次元コード本体挿入口5を設け、そこから図３で示す二次元コード本体を着脱する構造である。図３では、二次元コード6を透明フィルムでラミネート加工し、カード化したラミネートカード7を図示した。図４では、図３で示す二次元コード本体を、二次元コード本体挿入口5より、二次元コード本体取付用窓穴4へ装着する方法を図示している。図５では、二次元コード本体取付用窓穴4に、図３で示す二次元コード本体を装着した状態の断面図を図示した。図６では、図1で示すバンド表面の個人情報伝達用二次元コードがあることを示すマーク2の部分を裏返して、二次元コードを表示した状態を図示している。前記表示させた二次元コードを、携帯電話のカメラ、及びバーコードリーダを使って読み取り、緊急時の情報を取得するものである。尚、バンドの素材は、耐熱性、耐寒性、電気特性、撥水性等、様々な機能を持ち、加工、成形もしやすいシリコンゴム・ラバーを使用する。
【実施例】
【００１７】図７に、図１で示すバンド本体を、手首に装着した実施例を図示している。ブレスレットとして装着することができる。この他の実施例として、足首にも装着することができる。
【符号の説明】
【００１８】1  バンド表面2  個人情報伝達用二次元コードがあることを示すマーク3  バンド裏面4  二次元コード本体取付用窓穴5  二次元コード本体挿入口6  二次元コード7  ラミネートカード8  手首